(57)【要約】端末がダウンリンクデータを受信するとき、前記ダウンリンクデータ送信に対するアップリンクフィードバックを無線ネットワークに送信し、前記アップリンクフィードバックを送信した後に前記無線端末が特定周期で前記ダウンリンクデータを受信する、ダウンリンクチャネルの不連続受信方法を提供する。具体的には、本発明は、前記端末が第１不連続受信（ＤＲＸ）周期で動作中にダウンリンクデータを受信する段階と、前記ダウンリンクデータに対する応答メッセージを送信する段階と、前記応答メッセージを送信した後、第２不連続受信周期で動作する段階とを含むことを特徴とする端末による無線ネットワークからのデータ受信方法を提供する。
2010523039.tif 000002
【特許請求の範囲】
【請求項１】
端末による無線ネットワークからのデータ受信方法であって、
前記端末が第１不連続受信（ＤＲＸ）周期で動作中にダウンリンクデータを受信する段階と、
前記ダウンリンクデータに対する応答メッセージを送信する段階と、
前記応答メッセージを送信した後、第２不連続受信周期で動作する段階と
を含むことを特徴とする方法。
【請求項２】
前記第１不連続受信周期は、ロングＤＲＸ周期であり、
前記第２不連続受信周期は、ショートＤＲＸ周期であることを特徴とする請求項１に記載の方法。
【請求項３】
前記ダウンリンクデータは、ＲＬＣ（Ｒａｄｉｏ  Ｌｉｎｋ  Ｃｏｎｔｒｏｌ）  ＡＭＤ（Ａｃｋｎｏｗｌｅｄｇｅｄ  Ｍｏｄｅ  Ｄａｔａ）  ＰＤＵ（Ｐｒｏｔｏｃｏｌ  Ｄａｔａ  Ｕｎｉｔ）であり、ＨＳ−ＤＳＣＨ（Ｈｉｇｈ−Ｓｐｅｅｄ  Ｄｏｗｎｌｉｎｋ  Ｓｈａｒｅｄ  Ｃｈａｎｎｅｌ）で受信されることを特徴とする請求項１に記載の方法。
【請求項４】
前記応答メッセージは、ＲＬＣ  ＡＣＫ（Ａｃｋｎｏｗｌｅｄｇｅｍｅｎｔ）メッセージであることを特徴とする請求項１に記載の方法。
【請求項５】
前記端末は、ＣＥＬＬ＿ＰＣＨ状態にあることを特徴とする請求項１に記載の方法。
【請求項６】
前記ダウンリンクデータを受信した後、前記第２不連続受信周期に関するタイマーを駆動する段階と、
前記タイマーが満了すると、前記第１不連続受信周期で動作する段階とをさらに含むことを特徴とする請求項１に記載の方法。
【請求項７】
無線ネットワークによる端末へのデータ送信方法であって、
第１不連続受信周期で動作中にダウンリンクデータを送信する段階と、
前記ダウンリンクデータに対する応答メッセージを受信する段階と、
前記応答メッセージを受信した後、第２不連続受信周期で動作する段階と
を含むことを特徴とする方法。
【請求項８】
前記第１不連続受信周期は、ロングＤＲＸであり、
前記第２不連続受信周期は、ショートＤＲＸであることを特徴とする請求項７に記載の方法。
【請求項９】
前記ダウンリンクデータは、ＲＬＣ（Ｒａｄｉｏ  Ｌｉｎｋ  Ｃｏｎｔｒｏｌ）  ＡＭＤ（Ａｃｋｎｏｗｌｅｄｇｅｄ  Ｍｏｄｅ  Ｄａｔａ）  ＰＤＵ（Ｐｒｏｔｏｃｏｌ  Ｄａｔａ  Ｕｎｉｔ）であり、ＨＳ−ＤＳＣＨ（Ｈｉｇｈ−Ｓｐｅｅｄ  Ｄｏｗｎｌｉｎｋ  Ｓｈａｒｅｄ  Ｃｈａｎｎｅｌ）で送信されることを特徴とする請求項７に記載の方法。
【請求項１０】
前記応答メッセージは、ＲＬＣ  ＡＣＫ（Ａｃｋｎｏｗｌｅｄｇｅｍｅｎｔ）メッセージであることを特徴とする請求項７に記載の方法。
【請求項１１】
前記端末は、ＣＥＬＬ＿ＰＣＨ状態にあることを特徴とする請求項７に記載の方法。
【請求項１２】
前記応答メッセージを受信した後、前記第２不連続受信周期に関するタイマーを駆動する段階と、
前記タイマーが満了すると、前記第１不連続受信周期で動作する段階とをさらに含むことを特徴とする請求項７に記載の方法。
【発明の詳細な説明】
【技術分野】
【０００１】
本発明は、データ送受信方法に関し、特に、不連続データ受信方法に関する。
【背景技術】
【０００２】
図１は、従来技術及び本発明によるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の構造を示す。
【０００３】
図１に示すように、前記ＵＭＴＳは、端末（Ｕｓｅｒ  Ｅｑｕｉｐｍｅｎｔ：ＵＥ）、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）、及びコアネットワーク（Ｃｏｒｅ  Ｎｅｔｗｏｒｋ：ＣＮ）からなる。前記ＵＴＲＡＮは、１つ以上の無線ネットワークサブシステム（Ｒａｄｉｏ  Ｎｅｔｗｏｒｋ  Ｓｕｂ−ｓｙｓｔｅｍｓ：ＲＮＳ）を含む。各ＲＮＳは、１つの無線ネットワーク制御装置（Ｒａｄｉｏ  Ｎｅｔｗｏｒｋ  Ｃｏｎｔｒｏｌｌｅｒ：ＲＮＣ）と、前記ＲＮＣにより管理される少なくとも１つの基地局（Ｎｏｄｅ  Ｂ）とから構成される。１つのＮｏｄｅＢには少なくとも１つのセルが存在する。
【０００４】
図２は、３ＧＰＰ無線接続ネットワーク標準に準拠したＵＥとＵＴＲＡＮ間の無線インタフェースプロトコルの構造を示し、図３は、図２に示す端末とＵＴＲＡＮとのＲＲＣ層間の接続を確立する過程を示す。
【０００５】
図２に示すように、前記無線インタフェースプロトコルは、水平的には物理層と、データリンク層と、ネットワーク層とから構成され、垂直的にはデータ情報の送信のためのユーザプレーン（Ｕｓｅｒ  Ｐｌａｎｅ：  Ｕ−ｐｌａｎｅ）と、制御信号の送信のための制御プレーン（Ｃｏｎｔｒｏｌ  Ｐｌａｎｅ：  Ｃ−ｐｌａｎｅ）とから構成される。図２のプロトコル層は、通信システムにおいて公知の開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層（Ｌ１）、第２層（Ｌ２）、第３層（Ｌ３）に区分される。
【０００６】
以下、図２に示す各層について説明する。
【０００７】
第１層（Ｌ１）、すなわち、物理層は、物理チャネルを用いて上位層に情報転送サービス（Ｉｎｆｏｒｍａｔｉｏｎ  Ｔｒａｎｓｆｅｒ  Ｓｅｒｖｉｃｅ）を提供する。前記物理層は、上位層である媒体アクセス制御（Ｍｅｄｉｕｍ  Ａｃｃｅｓｓ  Ｃｏｎｔｒｏｌ：  ＭＡＣ）層にトランスポートチャネルで接続される。前記トランスポートチャネルで前記ＭＡＣ層と物理層との間にデータが送受信される。また、データ送信は、相異なる物理層間、すなわち、送信側と受信側の物理層間で物理チャネルを介して行われる。
【０００８】
前記送信側と受信側の物理チャネルは、ＳＣＨ（Ｓｙｎｃｈｒｏｎｉｚａｔｉｏｎ  Ｃｈａｎｎｅｌ）、ＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、ＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、ＤＰＣＨ（Ｄｅｄｉｃａｔｅｄ  Ｐｈｙｓｉｃａｌ  Ｃｈａｎｎｅｌ）、ＰＩＣＨ（Ｐａｇｉｎｇ  Ｉｎｄｉｃａｔｏｒ  Ｃｈａｎｎｅｌ）などを含む。
【０００９】
前記ＰＩＣＨチャネルは、１０ｍｓの長さのＰＩＣＨフレームに区分され、１つのＰＩＣＨフレームは３００ビットから構成される。１つのフレームの最初の２８８ビットは、ＵＥ専用ＰＩＣＨチャネルのために使用される。すなわち、前記最初の２８８ビットは、１つ以上のＵＥ専用ＰＩ（Ｐａｇｉｎｇ  Ｉｎｄｉｃａｔｏｒ  ）を送信するために使用される。ここで、前記ＵＥ専用ＰＩは、特定端末のためのページングメッセージがＰＣＨチャネルで送信されることを特定ＵＥに通知するために使用される。１つのＰＩＣＨフレームの最後の１２ビットは送信されない。便宜上、前記ＰＩＣＨチャネルの最初の２８８ビットをＵＥ  ＰＩＣＨチャネルと定義し、前記最後の１２ビットをＰＩＣＨ未使用部（ＰＩＣＨ  Ｕｎｕｓｅｄ  Ｐａｒｔ）と定義する。
【００１０】
前記第２層、すなわち、データリンク層は、媒体アクセス制御（ＭＡＣ）層と無線リンク制御（Ｒａｄｉｏ  Ｌｉｎｋ  Ｃｏｎｔｒｏｌ：ＲＬＣ）層とからなる。前記ＭＡＣ層は、ＲＬＣ層に論理チャネルを介してサービスを提供する。前記第２層のＲＬＣ層は、信頼性のあるデータ送信をサポートし、上位層からのＲＬＣサービスデータ単位（ＳＤＵ）の分割及び／又は連結機能を果たす。
【００１１】
第３層の最下部に位置する無線リソース制御（Ｒａｄｉｏ  Ｒｅｓｏｕｒｃｅ  Ｃｏｎｔｒｏｌ：ＲＲＣ）層は、制御プレーンにおいてのみ定義され、無線ベアラ（Ｒａｄｉｏ  Ｂｅａｒｅｒ：ＲＢ）の設定、再設定及び解除を制御すると共に、トランスポートチャネル及び物理チャネルを制御する。ここで、前記無線ベアラは、前記端末と前記ＵＴＲＡＮ間のデータ転送のために、前記第２層（Ｌ２）により提供されるサービスである。一般に、ＲＢの設定とは、特定サービスを提供するために必要なプロトコル層及びチャネルの特性を規定し、それぞれの具体的なパラメータ及び動作方法を設定することである。
【００１２】
一方、図３に示すように、前記端末が前記ＵＴＲＡＮとＲＲＣ接続を設定するためには、ＲＲＣ接続過程を行わなければならない。ＲＲＣ接続過程は、以下の通りである。前記端末が前記ＵＴＲＡＮにＲＲＣ接続要求（ＲＲＣ  ｃｏｎｎｅｃｔｉｏｎ  ｒｅｑｕｅｓｔ）メッセージを送信する段階（Ｓ１１）、前記ＵＴＲＡＮが前記端末にＲＲＣ接続設定（ＲＲＣ  ｃｏｎｎｅｃｔｉｏｎ  ｓｅｔｕｐ）メッセージを送信する段階（Ｓ１２）、及び前記端末が前記ＵＴＲＡＮにＲＲＣ接続設定完了（ＲＲＣ  ｃｏｎｎｅｃｔｉｏｎ  ｓｅｔｕｐ  ｃｏｍｐｌｅｔｅ）メッセージを送信する段階（Ｓ１３）の３つの段階からなる。
【００１３】
図３に示すように、前記ＲＲＣ接続に応じてアイドル状態とＲＲＣ接続状態が存在する。
【００１４】
前記ＲＲＣ接続状態は、前記端末のＲＲＣ層と前記ＵＴＲＡＮのＲＲＣ層が互いにＲＲＣメッセージを交換できるように接続された状態を意味する。また、前記アイドル状態は、前記端末のＲＲＣ層と前記ＵＴＲＡＮのＲＲＣ層が接続されていない状態を意味する。
【００１５】
前記ＲＲＣ接続状態は、ＵＲＡ＿ＰＣＨ状態、ＣＥＬＬ＿ＰＣＨ状態、ＣＥＬＬ＿ＦＡＣＨ状態、及びＣＥＬＬ＿ＤＣＨ状態に区分される。
【００１６】
前記端末が前記ＣＥＬＬ＿ＤＣＨ又はＣＥＬＬ＿ＦＡＣＨ状態にあるとき、前記端末は、前記ＵＴＲＡＮからデータを連続的に受信する。しかし、前記端末が前記アイドル状態、ＵＲＡ（ＵＴＲＡＮ  Ｒｅｇｉｓｔｒａｔｉｏｎ  Ａｒｅａ）＿ＰＣＨ状態、又は前記ＣＥＬＬ＿ＰＣＨ状態にあるとき、前記端末は、電力消費を減らすためにＤＲＸ方式を用いて物理チャネルであるＰＩＣＨと（トランスポートチャネルであるＰＣＨ（Ｐａｇｉｎｇ  Ｃｈａｎｎｅｌ）がマッピングされる）物理チャネルであるＳＣＣＰＣＨを不連続的に（ｄｉｓｃｏｎｔｉｎｕｏｕｓｌｙ）受信する。ここで、前記端末は、ＰＩＣＨ又はＳＣＣＰＣＨを受信する場合を除いた他の時間間隔中はスリープモード状態にある。
【００１７】
従来技術でＤＲＸ方式を行う端末は、不連続受信周期長（ＣＮ  Ｄｏｍａｉｎ  Ｓｐｅｃｉｆｉｃ  ＤＲＸ  Ｃｙｃｌｅ  Ｌｅｎｇｔｈ  ｏｒ  ＵＴＲＡＮ  Ｓｐｅｃｉｆｉｃ  ＤＲＸ  Ｃｙｃｌｅ  Ｌｅｎｇｔｈ）毎にウェークアップしてＰＩＣＨチャネルの端末専用ＰＩを受信する。ここで、従来技術の端末専用ＰＩは、特定端末のためのページングメッセージがＰＣＨチャネルで送信されることを特定端末に通知するために使用される。
【００１８】
一方、前記ＤＲＸ方式を用いる端末は、２つのタイプの長さのＤＲＸを使用する。すなわち、前記端末は、ロングＤＲＸとショートＤＲＸを使用する。従って、前記ＣＥＬＬ＿ＰＣＨ状態にある端末は、ロングＤＲＸ又はショートＤＲＸ周期で周期的にダウンリンクチャネルを受信して前記端末のためのデータがあるか否かを確認する。具体的には、前記端末は、まず前記ロングＤＲＸ周期で動作し、ダウンリンクデータが受信されるとすぐに、前記端末は、ショートＤＲＸ周期で動作するように切り換えられ、前記ショートＤＲＸ周期毎にダウンリンクチャネルをモニターする。
【００１９】
前述したように、従来技術においては、前記端末がダウンリンクデータを受信するまではロングＤＲＸ周期で動作し、前記ダウンリンクデータが受信されるとすぐに、前記端末がショートＤＲＸ周期で動作するように切り換えられ、前記ショートＤＲＸ周期毎にダウンリンクチャネルをモニターする。前記ショートＤＲＸ周期で動作するように切り換えられた後、前記端末は、予め決められた時間内にダウンリンクデータを受信すると、前記ショートＤＲＸ周期で動作するように維持する。しかし、前記ショートＤＲＸ周期で動作するように切り換えられた後、前記端末が予め決められた時間内にダウンリンクデータを正常に受信できない場合、前記端末は、前記ロングＤＲＸ周期で動作するように切り換えられる。
【発明の概要】
【発明が解決しようとする課題】
【００２０】
しかしながら、従来技術には以下のような問題がある。すなわち、前記ＵＴＲＡＮが前記ロングＤＲＸ周期で動作する前記端末にダウンリンクデータを送信したが、前記端末が前記ダウンリンクデータを正常に受信できない場合、前記ＵＴＲＡＮは、前記端末が前記ショートＤＲＸ周期で動作していると判断するが、実際には前記端末は前記ロングＤＲＸ周期で動作している。
【課題を解決するための手段】
【００２１】
従って、このような問題を解決するために、下記に説明される多様な特徴が案出された。本発明の一態様は、前記ＵＴＲＡＮ、すなわち、無線ネットワークと前記端末間の動作エラーを解決することである。
【００２２】
本発明は、端末がダウンリンクデータを受信するとき、前記ダウンリンクデータ送信に対するアップリンクフィードバックを無線ネットワークに送信し、前記アップリンクフィードバックを送信した後に前記無線端末が特定周期で前記ダウンリンクデータを受信する、ダウンリンクチャネルの不連続受信方法を提供する。
【００２３】
具体的には、本発明は、前記端末が第１不連続受信（ＤＲＸ）周期で動作中にダウンリンクデータを受信する段階と、前記ダウンリンクデータに対する応答メッセージを送信する段階と、前記応答メッセージを送信した後、第２不連続受信周期で動作する段階とを含むことを特徴とする端末による無線ネットワークからのデータ受信方法を提供する。
【００２４】
前記第１不連続受信周期は、ロングＤＲＸ周期でもよく、前記第２不連続受信周期は、ショートＤＲＸ周期でもいい。
【００２５】
前記ダウンリンクデータは、ＲＬＣ  ＡＭＤ（Ａｃｋｎｏｗｌｅｄｇｅｄ  Ｍｏｄｅ  Ｄａｔａ）  ＰＤＵ（Ｐｒｏｔｏｃｏｌ  Ｄａｔａ  Ｕｎｉｔ）でもよく、ＨＳ−ＤＳＣＨ（Ｈｉｇｈ−Ｓｐｅｅｄ  Ｄｏｗｎｌｉｎｋ  Ｓｈａｒｅｄ  Ｃｈａｎｎｅｌ）で受信されてもよい。前記応答メッセージは、ＲＬＣ  ＡＣＫ（Ａｃｋｎｏｗｌｅｄｇｅｍｅｎｔ）メッセージでもいい。
【００２６】
前記データ受信方法は、前記ダウンリンクデータを受信した後、前記第２不連続受信周期に関するタイマーを駆動する段階と、前記タイマーが満了すると、前記第１不連続受信周期で動作する段階とをさらに含む。
【００２７】
本発明は、第１不連続受信周期で動作中にダウンリンクデータを送信する段階と、前記ダウンリンクデータに対する応答メッセージを受信する段階と、前記応答メッセージを受信した後、第２不連続受信周期で動作する段階とを含むことを特徴とする無線ネットワークによる端末へのデータ送信方法を提供する。
【００２８】
本発明において、端末は、連続受信状態から不連続受信状態に切り換えられると、第２不連続受信周期、例えば、ショートＤＲＸでまず動作を開始し、これにより、従来技術における無線ネットワークと前記端末間の動作エラーが解決される。
【００２９】
具体的には、本発明は、連続受信状態から不連続受信状態に切り換えられた場合、第２不連続受信周期で動作する段階と、前記第２不連続受信周期でダウンリンクデータを受信する段階と、前記第２不連続受信周期に関するタイマーが満了した場合、第１不連続受信周期で動作する段階とを含むことを特徴とする端末による無線ネットワークからのデータ受信方法を提供する。
【００３０】
前記連続受信状態は、ＣＥＬＬ＿ＦＡＣＨ状態でもよく、前記不連続受信状態は、ＣＥＬＬ＿ＰＣＨ状態でもよい。前記第１不連続受信周期は、ロングＤＲＸ周期でもよく、前記第２不連続受信周期は、ショートＤＲＸ周期でもよい。
【００３１】
本発明は、以下のような利点を有する。
【００３２】
すなわち、端末が無線ネットワークからダウンリンクデータを受信するとき、前記ダウンリンクデータに対するアップリンクフィードバックを無線ネットワークに送信することにより、端末と無線ネットワーク間の動作エラーを解決する。
【００３３】
さらに、端末が連続的送受信状態から不連続送受信状態に切り換えられる場合、前記端末は、第２不連続受信周期、例えば、ショートＤＲＸ周期で動作を開始することにより、従来技術における前記無線ネットワークと前記端末間の動作エラーを解決する。
【００３４】
本発明の目的、特徴、態様、及び長所は、後述する発明の詳細な説明及び添付図面によりさらに明確になるであろう。
【図面の簡単な説明】
【００３５】
【図１】従来技術及び本発明によるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の構造を示す図である。
【図２】３ＧＰＰ無線接続ネットワーク標準に準拠したＵＥとＵＴＲＡＮ間の無線インタフェースプロトコルの構造を示す図である。
【図３】図２に示す端末とＵＴＲＡＮとのＲＲＣ層間の接続を確立する過程を示す図である。
【図４】本発明の第１実施形態による不連続受信方法の過程を示すフローチャートである。
【図５】本発明の第２実施形態による不連続受信方法の過程を示すフローチャートである。
【図６】本発明の第３実施形態による不連続受信方法の過程を示すフローチャートである。
【発明を実施するための形態】
【００３６】
以下、本発明の実施形態を添付図面を参照して詳細に説明する。
【００３７】
図４及び図５においてＵＥ（Ｕｓｅｒ  Ｅｑｕｉｐｍｅｎｔ）を示しているが、前記ＵＥは、端末、ＭＥ（Ｍｏｂｉｌｅ  Ｅｑｕｉｐｍｅｎｔ）、又は、ＭＳ（Ｍｏｂｉｌｅ  Ｓｔａｔｉｏｎ）と称することもできる。また、前記ＵＥは、携帯電話、ＰＤＡ、スマートフォン、ノートブックなどの通信機能を備えた携帯可能な機器でもよく、ＰＣ又は車載装置のように携帯不可能な機器でもよい。また、図４及び図５にはＵＴＲＡＮを示しているが、前記ＵＴＲＡＮは、ＣＤＭＡ、ＣＤＭＡ２０００、ＷＣＤＭＡ、ＩＥＥＥ  ８０２−１６などの無線アクセスシステムでもよい。
【００３８】
図４は、本発明の第１実施形態による不連続受信方法の過程を示すフローチャートである。
【００３９】
図４に示すように、本発明の第１実施形態は、第１不連続受信周期、例えば、ロングＤＲＸ周期で動作するＵＥ１００がＵＴＲＡＮ２００からダウンリンクデータを受信すると、前記ダウンリンクデータに対するアップリンクフィードバックを前記ＵＴＲＡＮ２００に送信することを特徴とする。以下、これについて具体的に説明する。
【００４０】
１）前記ＵＥ１００は、特定状態、例えば、ＣＥＬＬ＿ＰＣＨ状態にあり、第１不連続受信周期、例えば、ロングＤＲＸ周期で動作する（Ｓ１０１）。すなわち、前記ＵＥ１００は、前記第１不連続受信周期、例えば、ロングＤＲＸ周期でダウンリンクチャネル、例えば、ＰＩＣＨを周期的にモニターする。
【００４１】
２〜３）前記ＵＴＲＡＮ２００は、前記ＵＥ１００にデータが送信されることを通知する（Ｓ１０２）。この場合、前記通知は、前記ダウンリンクチャネル、例えば、前記ＰＩＣＨで提供される。また、前記ＵＴＲＡＮ２００は、前記ＵＥ１００にダウンリンクデータ、例えば、ＲＬＣ  ＡＭＤ  ＰＤＵを送信する（Ｓ１０３）。この場合、前記ダウンリンクデータは、ダウンリンクチャネル、例えば、ＨＳ−ＤＳＣＨで送信される。しかし、前記ＵＥ１００は、前記ダウンリンクデータ、例えば、前記ＲＬＣ  ＡＭＤ  ＰＤＵを正常に受信できない。
【００４２】
４）前記ＵＥ１００は、前記ダウンリンクデータを正常に受信できなかったため、前記ダウンリンクデータに対するアップリンクフィードバック、例えば、ＡＲＱ又はＨＡＲＱフィードバックを前記ＵＴＲＡＮ２００に送信せずに、前記第１不連続受信周期、例えば、前記ロングＤＲＸ周期で前記ダウンリンクチャネル（例えば、ＰＩＣＨ）を周期的に続けてモニターする（Ｓ１０４）。
【００４３】
この場合、前記ＵＴＲＡＮ２００は、前記アップリンクフィードバックを受信していないため、前記ＵＥ１００が前記第１不連続受信周期、例えば、ロングＤＲＸ周期で続けて動作していると認知する。
【００４４】
５〜６）前記ＵＴＲＡＮ２００は、前記ＵＥ１００にデータが送信されることを通知し（Ｓ１０５）、前記ＵＥ１００に前記ダウンリンクデータ、例えば、前記ＲＬＣ  ＡＭＤ  ＰＤＵを前記ダウンリンクチャネル、例えば、ＨＳ−ＤＳＣＨで再送する（Ｓ１０６）。
【００４５】
７）前記ＵＥ１００が前記ダウンリンクデータを正常に受信すると、前記ＵＥ１００は、前記ダウンリンクデータに対するアップリンクフィードバック、例えば、ＡＲＱ又はＨＡＲＱフィードバックを前記ＵＴＲＡＮ２００に送信する（Ｓ１０７）。この場合、前記アップリンクフィードバックは、ＲＬＣ  ＡＣＫメッセージでもよい。前記アップリンクフィードバックは、アップリンクチャネル、例えば、ＲＡＣＨで送信される。
【００４６】
８）前記ＵＥ１００は、第２不連続受信周期、例えば、ショートＤＲＸで動作するように切り換えられ、前記ダウンリンクチャネル、例えば、前記ＰＩＣＨを前記第２不連続受信周期で不連続的にモニターする（Ｓ１０８）。前記第２不連続受信周期で動作するように切り換えられた後、前記ＵＥ１００は、前記第２不連続受信周期に関するタイマー、例えば、非活動タイマーを駆動する。この場合、前記ＵＥ１００は、前記タイマーが満了するまでダウンリンクデータを前記ＵＴＲＡＮ２００から正常に受信できない場合、前記第１不連続受信周期、例えば、前記ロングＤＲＸ周期で動作するように切り換えられる。
【００４７】
一方、前記アップリンクフィードバックを受信すると、前記ＵＴＲＡＮ２００は、前記ＵＥ１００が前記ショートＤＲＸ周期で動作していると認識する。このように、前記アップリンクフィードバックを受信すると、前記ＵＴＲＡＮ２００自身がタイマーを駆動することもできる。
【００４８】
９〜１１）前記タイマーが満了する前に、前記ＵＴＲＡＮ２００は、前記ＵＥ１００にデータが送信されることを通知し（Ｓ１０９）、前記ＵＥ１００に前記ダウンリンクデータ、例えば、前記ＲＬＣ  ＡＭＤ  ＰＤＵを送信する（Ｓ１１０）。その後、前記ＵＥ１００は、アップリンクフィードバックを前記ＵＴＲＡＮ２００に送信する（Ｓ１１１）。また、前記ＵＥ１００は、前記第１不連続受信周期、例えば、ショートＤＲＸ周期で動作するように維持する。
【００４９】
１２）前記タイマーが満了すると、前記ＵＥ１００は、前記第１不連続受信周期、例えば、ロングＤＲＸ周期で動作するように切り換えられ、前記ダウンリンクチャネルを前記第１不連続受信周期でモニターする（Ｓ１１２）。前記ＵＴＲＡＮ２００も、前記ＵＥ１００が前記第１不連続受信周期で動作するように切り換えられたと認知する。この場合、前記ＵＴＲＡＮ２００は、前述したそれ自身のタイマーを用いて前記ＵＥ１００が前記第１不連続受信周期で動作するように切り換えられたことを認知する。
【００５０】
図５は、本発明の第２実施形態による不連続受信方法の過程を示すフローチャートである。
【００５１】
図５に示すように、本発明の第２実施形態は、第１不連続受信周期、例えば、ロングＤＲＸ周期で動作する前記ＵＥ１００が前記ＵＴＲＡＮ２００からダウンリンクデータを正常に受信すると、前記ＤＲＸの利用を停止することを特徴とする。また、第２実施形態は、前記ＵＥ１００が前記ＵＴＲＡＮ２００から前記第２不連続受信周期に関する情報、例えば、ＤＲＸ情報を受信した場合、前記ＵＥ１００が前記第２不連続受信周期で動作するように切り換えられることを特徴とする。
【００５２】
１）前記ＵＥ１００は、特定状態、例えば、ＣＥＬＬ＿ＰＣＨ状態にあり、前記第１不連続受信周期、例えば、前記ロングＤＲＸ周期で動作する（Ｓ２０１）。すなわち、前記ＵＥ１００は、前記第１不連続受信周期、例えば、前記ロングＤＲＸ周期でダウンリンクチャネル、例えば、ＰＩＣＨを周期的にモニターする。
【００５３】
２〜３）前記ＵＴＲＡＮ２００は、前記ＵＥ１００にデータが送信されることを通知する（Ｓ２０２）。次に、前記ＵＴＲＡＮ２００は、前記ＵＥ１００にダウンリンクデータ、例えば、ＲＬＣ  ＡＭＤ  ＰＤＵを送信する（Ｓ２０３）。この場合、前記通知は、前記ダウンリンクチャネル、例えば、前記ＰＩＣＨで提供される。前記ダウンリンクデータは、ダウンリンクチャネル、例えば、ＨＳ−ＤＳＣＨで送信される。
【００５４】
４）前記ＵＥ１００が前記ダウンリンクデータ、例えば、前記ＲＬＣ  ＡＭＤ  ＰＤＵを正常に受信した場合、前記ＵＥ１００は、前記ダウンリンクデータに対するアップリンクフィードバック、例えば、ＡＲＱ又はＨＡＲＱフィードバックを前記ＵＴＲＡＮ２００に選択的に送信する（Ｓ２０４）。すなわち、前記ＵＥ１００は、前記アップリンクフィードバックを送信してもよく、送信しなくてもよい。この場合、前記アップリンクフィードバックは、ＲＬＣ  ＡＣＫメッセージでもよい。また、前記アップリンクフィードバックは、アップリンクチャネル、例えば、ＲＡＣＨで送信される。
【００５５】
５）前記アップリンクフィードバックを送信した後、前記ＵＥ１００は、ＤＲＸ方式の利用を停止し、連続的に前記ダウンリンクチャネルをモニターする（Ｓ２０５）。代案として、前記ＵＥ１００は、前記アップリンクフィードバックを送信せずに、前記ＤＲＸ方式の利用を停止し、連続的に前記ダウンリンクチャネルをモニターすることもできる。
【００５６】
６〜７）その後、前記ＵＴＲＡＮ２００は、前記ＵＥ１００にデータが送信されることを通知する。この通知は、前記ダウンリンクチャネル、例えば、前記ＰＩＣＨで提供される（Ｓ２０６）。第２不連続受信周期に関する情報、例えば、ＤＲＸ情報を含むメッセージを前記ＵＥ１００に送信する（Ｓ２０７）。
【００５７】
８）前記ＵＥ１００は、前記メッセージを受信すると、前記受信したメッセージに対する応答メッセージ、例えば、Ｐａｇｉｎｇ  Ｒｅｓｐｏｎｓｅを前記ＵＴＲＡＮ２００に送信する（Ｓ２０８）。すなわち、前記ＵＥ１００は、前記応答メッセージを送信してもよく、送信しなくてもよい。ここで、前記応答メッセージは、ＲＲＣセル更新メッセージ又はＲＲＣ  ＵＲＡ更新メッセージでもよい。
【００５８】
９）また、前記ＵＥ１００は、前記メッセージ内の前記ＤＲＸ情報によって、第２不連続受信周期、例えば、ショートＤＲＸ周期で動作するように切り換えられ、タイマーを駆動する（Ｓ２０９）。前記ＵＴＲＡＮ２００は、前記応答メッセージ、例えば、Ｐａｇｉｎｇ  Ｒｅｓｐｏｎｓｅメッセージを受信すると、前記第２不連続受信周期で動作するように切り換えられ、タイマーを駆動する（Ｓ２０９）。ここで、前記ＵＴＲＡＮ２００は、前記応答メッセージを受信した後、前記第２不連続受信周期で動作するが、代案として、前記ＵＴＲＡＮ２００は、前記応答メッセージを受信しなくても前記第２不連続受信周期で動作し、タイマーを駆動することもできる。例えば、前記ＵＴＲＡＮ２００は、前記メッセージ、例えば、Ｐａｇｉｎｇメッセージを送信した後、前記第２不連続受信周期で動作することもできる。
【００５９】
その後、前記ＵＥ１００は、前記タイマーが満了するまで、前記ＵＴＲＡＮ２００からダウンリンクデータを正常に受信できない場合、前記第１不連続受信周期、例えば、前記ロングＤＲＸ周期で動作するように切り換えられる。しかし、前記ＵＥ１００は、前記タイマーが満了するまでに、前記ＵＴＲＡＮ２００からダウンリンクデータを受信すると、前記第２不連続受信周期、例えば、前記ショートＤＲＸ周期で継続して動作する。
【００６０】
図６は、本発明の第３実施形態による不連続受信方法の過程を示すフローチャートである。
【００６１】
図６に示すように、本発明の第３実施形態は、前記ＵＥ１００が連続受信状態、例えば、ＣＥＬＬ＿ＦＡＣＨ状態から、不連続受信状態、例えば、ＣＥＬＬ＿ＰＣＨ状態に切り換えられる場合、第２不連続受信周期、例えば、ショートＤＲＸ周期でまず動作することを特徴とする。以下、これについて具体的に説明する。
【００６２】
１）前記ＵＥ１００は、連続受信状態、例えば、ＣＥＬＬ＿ＦＡＣＨ状態にある（Ｓ３０１）。
【００６３】
２〜３）前記ＵＴＲＡＮ２００は、前記ＵＥ１００にダウンリンクデータを送信する（Ｓ３０２、Ｓ３０３）。この場合、前記ダウンリンクデータは、ダウンリンクチャネル、例えば、ＤＣＣＨ（Ｄｅｄｉｃａｔｅｄ  Ｃｏｎｔｒｏｌ  Ｃｈａｎｎｅｌ）／ＤＴＣＨ（Ｄｅｄｉｃａｔｅｄ  Ｔｒａｆｆｉｃ  Ｃｈａｎｎｅｌ）がマッピングされるＨＳ−ＤＳＣＨで送信される。
【００６４】
４）前記ＵＴＲＡＮ２００及び前記ＵＥ１００は、物理チャネルを再設定する（Ｓ３０４）。具体的には、前記ＵＴＲＡＮ２００は、前記ＵＥ１００を連続受信状態から不連続受信状態に、例えば、ＣＥＬＬ＿ＦＡＣＨ状態からＣＥＬＬ＿ＰＣＨ状態に切り換えられる。
【００６５】
５）前記ＵＥ１００がＣＥＬＬ＿ＰＣＨ状態に切り換えられると、前記ＵＥ１００は、第２不連続受信周期、例えば、ショートＤＲＸ周期で動作する（Ｓ３０５）。ここで、前記ＵＥ１００は、前記第２不連続受信周期に関するタイマーを駆動する。前記ＵＴＲＡＮ２００も前記第２不連続受信周期、例えば、前記ショートＤＲＸで動作する。前記ＵＴＲＡＮ２００もタイマーを駆動することができる。
【００６６】
６〜７）前記ＵＴＲＡＮ２００は、前記ＵＥ１００にデータが送信されることを通知する（Ｓ３０６）。この場合、前記通知は、前記ダウンリンクチャネル、例えば、前記ＰＩＣＨで提供される。また、前記ＵＴＲＡＮ２００は、前記ＵＥ１００に前記ダウンリンクデータを送信する（Ｓ３０７）。この場合、前記ダウンリンクデータは、前記ダウンリンクチャネル、例えば、前記ＤＣＣＨ／ＤＴＣＨがマッピングされるＨＳ−ＤＳＣＨで送信される。
【００６７】
８〜９）その後、前記第２不連続受信周期に対する前記タイマーが満了すると（Ｓ３０８）、前記ＵＥ１００は、前記第１不連続受信周期、例えば、前記ロングＤＲＸ周期で動作する（Ｓ３０９）。さらに、前記タイマーが満了すると、前記ＵＴＲＡＮ２００も前記第１不連続受信周期、例えば、前記ロングＤＲＸ周期で動作する。
【００６８】
前述したように、第３実施形態において、前記ＵＥ１００が連続受信状態から不連続受信状態に、例えば、ＣＥＬＬ＿ＦＡＣＨ状態からＣＥＬＬ＿ＰＣＨ状態に切り換えられると、前記ＵＥ１００は、前記第２不連続受信周期、例えば、前記ショートＤＲＸ周期で動作し、これにより、前記ＵＴＲＡＮ２００と前記ＵＥ１００間の動作エラーが解決される。
【００６９】
図示していないが、以下、本発明の第４実施形態ないし第６実施形態について説明する。
【００７０】
本発明の第４実施形態ないし第６実施形態は、前記ＵＥ１００が前記不連続受信状態、例えば、ＣＥＬＬ＿ＰＣＨ状態でダウンリンクチャネル、例えば、ＨＳ−ＤＳＣＨを介してＤＣＣＨ／ＤＴＣＨ送信を受信するケース、前記不連続受信状態、例えば、ＣＥＬＬ＿ＰＣＨ状態の前記ＵＥ１００がダウンリンクチャネル、例えば前記ＨＳ−ＤＳＣＨを介してＲＬＣ  ＡＭ（Ａｃｋｎｏｗｌｅｄｇｅｄ  Ｍｏｄｅ）で前記ＤＣＣＨ／ＤＴＣＨデータを受信し、前記ＤＣＣＨ／ＤＴＣＨデータに対する応答メッセージ、例えば、ＲＬＣ  ＡＣＫメッセージを前記ＵＴＲＡＮ２００に送信するケース、又は、前記ＣＥＬＬ＿ＰＣＨ状態の前記ＵＥ１００がダウンリンクチャネル、例えば、前記ＨＳ−ＤＳＣＨを介してＲＬＣ  ＵＭ（Ｕｎａｃｋｎｏｗｌｅｄｇｅｄ  Ｍｏｄｅ）で前記ＤＣＣＨ／ＤＴＣＨデータを受信するケースに関する。
【００７１】
まず、本発明の第４実施形態について説明する。前記ＵＥ１００は、ダウンリンクデータをダウンリンクチャネル、例えば、前記ＨＳ−ＤＳＣＨで連続的に受信する。また、前記ＵＥ１００が前記ＵＴＲＡＮ２００から第２不連続受信周期に関する情報、例えば、ＤＲＸ情報を含むメッセージ、例えば、ページングメッセージを受信すると、前記ＵＥ１００は、前記ＤＲＸ情報によって前記タイマー、例えば、ショートＤＲＸタイマーを駆動する。また、前記ＵＥ１００は、前記第２不連続受信周期、例えば、前記ショートＤＲＸ周期で動作を開始する。この場合、前記ＵＥ１００は、前記不連続受信状態、例えば、前記ＣＥＬＬ＿ＰＣＨ状態において前記第２不連続受信周期で動作を開始する。前記タイマー、例えば、前記ショートＤＲＸタイマーが満了すると、前記ＵＥ１００は、前記第１不連続受信周期、例えば、前記ロングＤＲＸ周期で動作する。
【００７２】
図示していないが、本発明の第５実施形態について説明する。
【００７３】
前記ＵＥ１００は、前記ＣＥＬＬ＿ＰＣＨ状態で前記ダウンリンクデータを前記ダウンリンクチャネル、例えば、前記ＨＳ−ＤＳＣＨを介して受信する。また、前記ＵＥ１００が前記ＵＴＲＡＮ２００から前記第２不連続受信周期に関する情報、例えば、前記ＤＲＸ情報を含むメッセージ、例えば、ページングメッセージを受信すると、前記ＵＥ１００は、前記ＣＥＬＬ＿ＰＣＨ状態から前記ＣＥＬＬ＿ＦＡＣＨ状態に切り換えられず、応答メッセージ、例えば、ＲＲＣ応答メッセージを前記ＵＴＲＡＮ２００に送信する。この場合、前記ＤＲＸ情報は、タイマーに関する情報、及びＤＲＸサイクル情報を含む。前記応答メッセージは、例えばＣｅｌｌ  Ｕｐｄａｔｅメッセージ又はＵＲＡアップデートメッセージでもよい。また、前記ＵＥ１００は、タイマー、例えば、ショートＤＲＸタイマーを駆動し、前記ＣＥＬＬ＿ＰＣＨ状態において前記第２不連続受信周期、例えば、前記ショートＤＲＸ周期で動作を開始する。前記タイマー、例えば、前記ショートＤＲＸタイマーが満了すると、前記ＵＥ１００は、前記第２不連続受信周期、例えば、前記ロングＤＲＸ周期で動作する。
【００７４】
また、図示していないが、本発明の第６実施形態について説明する。
【００７５】
前記ＵＴＲＡＮ２００がダウンリンクデータを送信すると、前記ＵＥ１００は、タイマーを駆動し、前記ＣＥＬＬ＿ＰＣＨ状態で前記ダウンリンクデータを連続的に受信する。この場合、前記ダウンリンクデータは、前記ＨＳ−ＤＳＣＨで受信される。その後、前記タイマーが満了すると、前記ＵＥ１００は、前記ロングＤＲＸを行う。
【００７６】
本発明の精神や基本的な特性から外れない限り多様な形態で本発明を実現することができ、前述した実施形態は前述した詳細な記載内容によって限定されるのではなく、添付された請求の範囲に定義された本発明の精神や範囲内で広く解釈されるべきであり、本発明の請求の範囲内で行われるあらゆる変更及び変形、並びに請求の範囲の均等物は本発明の請求の範囲に含まれる。
【図１】
2010523039.tif 000003
【図２】
2010523039.tif 000004
【図３】
2010523039.tif 000005
【図４】
2010523039.tif 000006
2010523039.tif 000007
【図５】
2010523039.tif 000008
【図６】
2010523039.tif 000009
【国際調査報告】
2010523039.tif 000010
2010523039.tif 000011